(57)【特許請求の範囲】
【請求項１】
フィールド機器と通信可能に接続するフィールド機器管理装置であって、
接続したフィールド機器から固有情報である基本情報と、動作内容を定めるパラメータとを取得する通信部と、
前記基本情報に基づいて機器識別情報を定め、前記機器識別情報に関連付けて、前記基本情報とパラメータと前記フィールド機器に関して任意に入力されたコメントとを含む機器情報を保存する機器情報保存部と、
接続中のフィールド機器毎に前記機器情報を一覧表示し編集を受け付ける機器情報表示画面を生成するユーザインタフェース部と、
を備えたことを特徴とするフィールド機器管理装置。
【請求項２】
前記機器情報は、フィールド機器に対する操作履歴をさらに含み、
前記ユーザインタフェース部は、接続中の前記フィールド機器に関する操作履歴を前記機器情報表示画面に表示することを特徴とする請求項１に記載のフィールド機器管理装置。
【請求項３】
前記ユーザインタフェース部は、操作時期に応じて前記操作履歴の表示態様を変更することを特徴とする請求項２に記載のフィールド機器管理装置。
【請求項４】
前記ユーザインタフェース部は、過去に接続され接続中でないフィールド機器に関して、前記機器情報保存部に保存されている前記機器情報を表示する保存機器情報表示画面を生成することを特徴とする請求項１〜３のいずれか１項に記載のフィールド機器管理装置。
【請求項５】
前記ユーザインタフェース部は、前記機器情報表示画面で機器情報が編集された場合に、前記機器情報保存部に保存されている前記機器情報を即座に更新することを特徴とする請求項１〜４のいずれか１項に記載のフィールド機器管理装置。
【請求項６】
前記機器情報保存部に保存されているパラメータに基づいて、所定のフォーマットの作業報告書を作成する作業報告書作成部をさらに備えることを特徴とする請求項１〜５のいずれか１項に記載のフィールド機器管理装置。
【請求項７】
前記機器情報保存部は、取得した前記基本情報にフィールド機器を一意に識別可能な機器識別子が含まれる場合は、前記機器識別子を前記機器識別情報として用い、取得した前記基本情報に前記機器識別子が含まれない場合は、前記基本情報に含まれる他の複数の情報を連結して前記機器識別情報として用いることを特徴とする請求項１〜６のいずれか１項に記載のフィールド機器管理装置。
【請求項８】
フィールド機器と通信可能に接続するフィールド機器管理装置における機器情報表示方法であって、
接続したフィールド機器から固有情報である基本情報と、動作内容を定めるパラメータとを取得するステップと、
前記基本情報に基づいて機器識別情報を定め、前記機器識別情報に関連付けて、前記基本情報とパラメータと前記フィールド機器に関して任意に入力されたコメントとを含む機器情報を保存するステップと、
接続中のフィールド機器毎に前記機器情報を一覧表示し編集を受け付ける機器情報表示画面を生成するステップと、
を有することを特徴とする機器情報表示方法。
【請求項９】
情報処理装置を、フィールド機器と通信可能に接続するフィールド機器管理装置として機能させるコンピュータプログラムであって、
接続したフィールド機器から固有情報である基本情報と、動作内容を定めるパラメータとを取得する通信部と、
前記基本情報に基づいて機器識別情報を定め、前記機器識別情報に関連付けて、前記基本情報とパラメータと前記フィールド機器に関して任意に入力されたコメントとを含む機器情報を保存する機器情報保存部と、
接続中のフィールド機器毎に前記機器情報を一覧表示し編集を受け付ける機器情報表示画面を生成するユーザインタフェース部と、
して前記情報処理装置を機能させることを特徴とするコンピュータプログラム。
【請求項１０】
請求項９に記載のコンピュータプログラムを記録した記録媒体。
【発明の詳細な説明】
【技術分野】
【０００１】
本発明は、フィールド機器の保全等に用いるフィールド機器管理装置の操作性を向上させる技術に関する。
【背景技術】
【０００２】
工業プラントでは、制御監視システムの制御の下で、フィールド機器と総称される計測機器、バルブ類、アクチュエータ機器等が稼働している。制御監視システムと各フィールド機器とは、Foundation Fieldbus、HART（登録商標）等のフィールドバスによって相互接続され、フィールドバスを介して通信を行なうことによって各種のプロセス制御が実現される。近年では、無線による通信も一般化している。
【０００３】
フィールド機器に対しては、プラントの保全計画に基づいて定期的あるいは不定期に、また異常発生時や機器の増設時等に保全作業が行なわれるが、非特許文献１には、フィールド機器の保全等に用いられるフィールド機器管理ツール「FieldMate（登録商標）」が紹介されている。
【０００４】
このフィールド機器管理ツールは、接続ツールを用いてフィールド機器やフィールドバスに接続可能なノート型パーソナルコンピュータ、タブレット型コンピュータ、ハンドヘルドコンピュータ等にインストールされ、フィールド機器の各種パラメータの設定、調整およびフィールド機器の保全等の管理を可能にするアプリケーションプログラムである。このアプリケーションプログラムを実行することにより、コンピュータはフィールド機器管理装置として機能することになる。フィールド機器管理装置は、それぞれのフィールド機器に対応して用意されたデバイスタイプマネージャワークス（ＤＴＭ Ｗｏｒｋｓ）などのツールを利用して、各フィールド機器の管理を行なう。
【先行技術文献】
【特許文献】
【０００５】
【特許文献１】特開２０１０−６１３５２号公報
【非特許文献】
【０００６】
【非特許文献１】廣岡勲、他３名、「新時代のフィールド機器管理ツールFieldMate」，横河技報、横河電機株式会社、2007年5月20日、Vol.51 No.2（2007） p.45-48
【発明の概要】
【発明が解決しようとする課題】
【０００７】
フィールド機器管理装置を用いてフィールド機器の管理を行なう作業者は、日常的に以下のような作業を行なっている。なお、作業者は、例えば、プラントの管理者やフィールド機器ベンダのサービス担当者等である。
１）作業前にフィールド機器の基本情報とパラメータを確認し、作業前情報として記録する。ここで、基本情報は、フィールド機器の固有情報であるタグ名、ベンダ名、機器ＩＤ、ステータス等であり、パラメータはフィールド機器の動作内容を定める情報である。
２）作業目的等に応じて基本情報、パラメータの変更を行なう。
３）変更後の基本情報、パラメータを作業後情報として記録するとともに、所定のフォーマットで作業内容報告書を作成する。
【０００８】
これらの作業では、作業対象のフィールド機器に関する情報や、過去に行なった作業内容等の種々の情報を参照する必要がある。また、実際の現場では、注意事項等を記載したメモを活用することも広く行なわれている。
【０００９】
フィールド機器の管理を行なう者は、様々なプラントで様々なフィールド機器に対してこのような作業を行なうことが多く、フィールド機器管理装置の操作性は作業効率に大きな影響を与えることになる。このため、フィールド機器管理装置の操作性の一層の向上が望まれている。
【００１０】
そこで、本発明は、フィールド機器管理装置の操作性を向上させることを目的とする。
【課題を解決するための手段】
【００１１】
上記課題を解決するため、本発明の第１の態様であるフィールド機器管理装置は、フィールド機器と通信可能に接続するフィールド機器管理装置であって、接続したフィールド機器から固有情報である基本情報と、動作内容を定めるパラメータとを取得する通信部と、前記基本情報に基づいて機器識別情報を定め、前記機器識別情報に関連付けて、前記基本情報とパラメータと前記フィールド機器に関して任意に入力されたコメントとを含む機器情報を保存する機器情報保存部と、接続中のフィールド機器毎に前記機器情報を一覧表示し編集を受け付ける機器情報表示画面を生成するユーザインタフェース部と、を備えたことを特徴とする。
ここで、前記機器情報は、フィールド機器に対する操作履歴をさらに含み、前記ユーザインタフェース部は、接続中の前記フィールド機器に関する操作履歴を前記機器情報表示画面に表示することができる。
このとき、前記ユーザインタフェース部は、操作時期に応じて前記操作履歴の表示態様を変更することができる。
また、前記ユーザインタフェース部は、過去に接続され接続中でないフィールド機器に関して、前記機器情報保存部に保存されている前記機器情報を表示する保存機器情報表示画面を生成することができる。
また、前記ユーザインタフェース部は、前記機器情報表示画面で機器情報が編集された場合に、前記機器情報保存部に保存されている前記機器情報を即座に更新することができる。
また、前記機器情報保存部に保存されているパラメータに基づいて、所定のフォーマットの作業報告書を作成する作業報告書作成部をさらに備えるようにしてもよい。
また、前記機器情報保存部は、取得した前記基本情報にフィールド機器を一意に識別可能な機器識別子が含まれる場合は、前記機器識別子を前記機器識別情報として用い、取得した前記基本情報に前記機器識別子が含まれない場合は、前記基本情報に含まれる他の複数の情報を連結して前記機器識別情報として用いることができる。
上記課題を解決するため、本発明の第２の態様である機器情報表示方法は、フィールド機器と通信可能に接続するフィールド機器管理装置における機器情報表示方法であって、接続したフィールド機器から固有情報である基本情報と、動作内容を定めるパラメータとを取得するステップと、前記基本情報に基づいて機器識別情報を定め、前記機器識別情報に関連付けて、前記基本情報とパラメータと前記フィールド機器に関して任意に入力されたコメントとを含む機器情報を保存するステップと、接続中のフィールド機器毎に前記機器情報を一覧表示し編集を受け付ける機器情報表示画面を生成するステップと、を有することを特徴とする。
上記課題を解決するため、本発明の第３の態様であるコンピュータプログラムは、情報処理装置を、フィールド機器と通信可能に接続するフィールド機器管理装置として機能させるコンピュータプログラムであって、接続したフィールド機器から固有情報である基本情報と、動作内容を定めるパラメータとを取得する通信部と、前記基本情報に基づいて機器識別情報を定め、前記機器識別情報に関連付けて、前記基本情報とパラメータと前記フィールド機器に関して任意に入力されたコメントとを含む機器情報を保存する機器情報保存部と、接続中のフィールド機器毎に前記機器情報を一覧表示し編集を受け付ける機器情報表示画面を生成するユーザインタフェース部と、して前記情報処理装置を機能させることを特徴とする。
上記課題を解決するため、本発明の第４の態様である記録媒体は、本発明の第３の態様であるコンピュータプログラムを記録した記録媒体である。
【発明の効果】
【００１２】
本発明によれば、フィールド機器管理装置の操作性を向上させることができる。
【図面の簡単な説明】
【００１３】
【図１】本実施形態に係るフィールド機器管理装置の構成を示すブロック図である。
【図２】フィールド機器管理装置とフィールド機器との接続態様について説明するブロック図である。
【図３】機器情報管理部がユーザインタフェース部の接続機器用表示設定部を制御して行なう動作について説明するフローチャートである。
【図４】接続機器用表示設定部による機器情報表示画面の例を示す図である。
【図５】パラメータ表示画面の例を示す図である。
【図６】複数台のフィールド機器が接続されている場合の機器情報表示画面の例を示す図である。
【図７】機器情報管理部がユーザインタフェース部の保存機器情報用表示設定部を制御して行なう動作について説明するフローチャートである。
【図８】保存機器情報用表示設定部による保存機器情報表示画面の例を示す図である。
【図９】作業報告書の作成について説明する図である。
【図１０】作業報告書の別例について説明する図である。
【発明を実施するための形態】
【００１４】
本発明の実施の形態について図面を参照して説明する。図１は、本実施形態に係るフィールド機器管理装置１０の構成を示すブロック図である。フィールド機器管理装置１０は、ノート型パーソナルコンピュータ、タブレット型コンピュータ等の汎用コンピュータにフィールド機器管理ツールをインストールして実行することで具現化することができる。また、ハンドヘルド型の専用端末装置等として具現化することもできる。
【００１５】
本図に示すように、フィールド機器管理装置１０は、通信部１１０、機器情報管理部１２０、ユーザインタフェース部１３０、作業報告書作成部１４０、機器情報保存部１５０を備えている。
【００１６】
通信部１１０は、フィールド機器２００と通信を行ない、フィールド機器２００の基本情報、パラメータの読み書きを行なう。フィールド機器２００との通信は、Ｆｏｕｎｄａｔｉｏｎ  Ｆｉｅｌｄｂｕｓ、ＨＡＲＴ、ＢＲＡＩＮ等の他、無線通信としてＩＳＡ１００．１１ａ、ＷＩＲＥＬＥＳＳ  ＨＡＲＴ（登録商標）等の種々のプロトコルを用いることができる。
【００１７】
ここで、フィールド機器２００の基本情報は、フィールド機器２００の固有情報である。具体的には、フィールド機器のタグ名、ベンダ名、機器ＩＤ、ステータス、機器タイプ等であり、用いる通信プロトコルに応じて扱う基本情報が異なる。また、フィールド機器管理装置１０が扱うパラメータは、汎用ＤＤ（Device Description）ファイルで定義されたパラメータ群としたり、フィールド機器２００対応に作成されたＤＤファイルで定義されたパラメータ群とすることができる。
【００１８】
なお、フィールド機器管理装置１０とフィールド機器２００との接続態様は、図２（ａ）に示すように、１台のフィールド機器管理装置１０を１台のフィールド機器２００と直接接続することが多いが、図２（ｂ）に示すように、１台のフィールド機器管理装置１０を複数台のフィールド機器２００と接続することもできる。いずれの場合も有線通信であっても無線通信であってもよい。
【００１９】
図１の説明に戻って、機器情報管理部１２０は、通信部１１０、ユーザインタフェース部１３０、作業報告書作成部１４０の制御を行ない、フィールド機器２００の機器情報を管理する。機器情報管理部１２０が管理する機器情報には、基本情報、パラメータ、添付情報、操作履歴が含まれる。添付情報は、作業者が記録する任意のコメントや画像情報を含めることができる。
【００２０】
機器情報保存部１５０は、フィールド機器２００から収集したり、ユーザインタフェース部１３０を介して編集された機器情報を保存するデータベースである。本実施形態では、作業者の明示的な保存指示がなくても機器情報をリアルタイムで自動的に保存するようにしている。機器情報保存部１５０は、機器情報に含まれる各情報を、フィールド機器２００を識別するための機器識別情報を用いて互いに関連付けて管理する。
【００２１】
機器ＩＤが基本情報に含まれる多くの通信プロトコルのフィールド機器２００であれば、フィールド機器２００を一意に識別する機器ＩＤを機器識別情報として用いるようにする。一方、ＢＲＡＩＮプロトコルのような機器ＩＤが基本情報に含まれない通信プロトコルのフィールド機器２００であれば、その他の情報、例えば、機器タイプと機器タグとを連結した情報を機器識別情報として用いるようにする。機器タグは、作業者が任意に設定することができるフィールド機器識別用の情報である。
【００２２】
ユーザインタフェース部１３０は、機器情報管理部１２０の制御の下で、機器情報等の表示を行ない、作業者から変更・編集等の設定操作を受け付けるための画面を生成する。機器情報等の表示では、作業者に有益な情報が一覧できるようになっており、フィールド機器管理装置１０の操作性が向上している。設定操作の受け付けは、タッチパネル、ポインティングデバイス、キーボード等を利用することができる。
【００２３】
本実施形態において、ユーザインタフェース部１３０は、接続中のフィールド機器２００についての機器情報の表示および編集操作受け付けを行なう接続機器用表示設定部１３１と、機器情報保存部１５０に保存されている機器情報の表示および編集操作受け付けを行なう保存機器情報用表示設定部１３２とを備えている。
【００２４】
作業報告書作成部１４０は、機器情報保存部１５０に保存されている機器情報、パラメータ等について所定のフォーマットで出力する。所定のフォーマットは、例えば、作業報告書のテンプレートに合致したものとすることができる。パラメータの変更作業前に出力すれば、作業前情報の報告書として用いることができ、パラメータ変更作業後に出力すれば、作業後報告書として用いることができる。また、変更したパラメータを抽出して出力することで作業内容報告書として用いることができる。
【００２５】
次に、上記構成のフィールド機器管理装置１０の動作について説明する。まず、機器情報管理部１２０がユーザインタフェース部１３０の接続機器用表示設定部１３１を制御して行なう動作について図３のフローチャートを参照して説明する。
【００２６】
まず、機器情報管理部１２０は、通信部１１０を介して通信可能なフィールド機器２００から基本情報とパラメータとを取得する（Ｓ１０１）。取得する基本情報とパラメータとは通信プロトコルやフィールド機器２００、利用するＤＤファイルに依存する。
【００２７】
そして、フィールド機器２００から取得した基本情報に基づいて、フィールド機器２００の機器識別情報を特定する（Ｓ１０２）。上述のように、基本情報に機器ＩＤが含まれる場合は、機器ＩＤを機器識別情報として用い、基本情報に機器ＩＤが含まれない場合は、機器タイプと機器タグとを連結した情報等を機器識別情報として用いる。
【００２８】
機器識別情報を特定すると、特定した機器識別情報に関連付けられた機器情報が既に機器情報保存部１５０に保存されているかどうかを判定する（Ｓ１０３）。
【００２９】
特定した機器識別情報に関連付けられた機器情報がまだ機器情報保存部１５０に保存されていない場合（Ｓ１０３：Ｎｏ）には、取得した基本情報とパラメータとを特定した機器識別情報に関連付けて、機器情報保存部１５０に新規保存する。
【００３０】
一方、特定した機器識別情報に関連付けられた機器情報が既に機器情報保存部１５０に保存されている場合（Ｓ１０３：Ｙｅｓ）には、取得した基本情報とパラメータを保存されている機器情報にマージして、保存済みの機器情報を更新する（Ｓ１０５）。
【００３１】
すなわち、既保存、未保存のいずれの場合であっても、フィールド機器２００から取得した最新の機器情報、パラメータは、作業者の指示がなくても即座に機器情報保存部１５０に保存する。
【００３２】
そして、機器情報保存部１５０に保存されている機器情報に基づいて機器情報の表示を行なう（Ｓ１０６）。図４は、接続機器用表示設定部１３１による機器情報表示画面５００の例を示している。本図に示すように機器情報表示画面５００は、各機器情報の概要を一覧できる機器情報表示欄５１０と、操作履歴表示欄５２０とを備えている。
【００３３】
機器情報表示欄５１０は、基本情報を表示する基本情報表示欄５１１と、パラメータを表示するパラメータ表示欄５１２と、添付情報を表示する添付情報表示欄５１３とを含んでいる。
【００３４】
パラメータ表示欄５１２は、ＰＶ（Process Value）やレンジ等の主要なパラメータを表示する主要パラメータ表示欄５１５と、全パラメータを表示させる全パラメータ表示パネル５１６とを含んでいる。主要パラメータ表示欄５１５に表示するパラメータについては、あらかじめ定められているものとするが、作業者が任意に設定できるようにしてもよい。
【００３５】
全パラメータ表示パネル５１６の操作を受け付けると、図５に示すような全パラメータ表示画面７００により、機器情報保存部１５０に保存されているそのフィールド機器２００の全パラメータを表示する。なお、右端のスクロールバーを上下させることで、すべてのパラメータを順次表示させることができる。
【００３６】
添付情報表示欄５１３は、作業者が過去にそのフィールド機器２００について入力したコメントを表示するコメント表示欄５１７と作業者が過去にそのフィールド機器２００について登録した画像を表示する画像表示欄５１８とを含んでいる。コメントには、そのフィールド機器２００に関する注意点等を入力することができる。コメント表示欄５１７を機器情報表示欄５１０に含めることで、そのフィールド機器２００についての注意事項を忘れたり、連絡漏れ等が発生することを確実に防止することが可能となる。
【００３７】
コメント表示欄５１７には複数のコメントを入力することができ、画像表示欄５１８には複数の画像を登録することができ、いずれも閲覧、編集、追加、削除等が可能である。フィールド機器管理装置１０やフィールド機器２００に撮影機能を備えさせ、撮影機能を用いて取得した画像を画像表示欄５１８に登録できるようにしてもよい。
【００３８】
操作履歴表示欄５２０には、その接続中のフィールド機器２００に対して、作業者が行なった操作の履歴がリアルタイムで表示される。ここでは、その日に行なった操作については、即座に認識できるようにハイライト表示するようにしている。操作時期に応じて表示色等の表示態様を異ならせるようにしてもよい。操作履歴表示欄５２０を参照することで、そのフィールド機器２００に対して過去に行なった作業内容を容易に確認することができる。
【００３９】
なお、複数台のフィールド機器２００と接続している場合には、図６に示すように、機器情報表示欄５１０において、各機器情報がフィールド機器２００毎に一覧できるように表示される。
【００４０】
このとき、操作履歴表示欄５２０には、表示されている各フィールド機器２００に対する操作履歴がまとめて表示される。機器情報表示欄５１０で特定のフィールド機器２００が選択された場合、選択されたフィールド機器２００に対する操作履歴を抽出して表示するようにしてもよい。
【００４１】
図３の説明に戻って、機器情報表示画面５００で、作業者によって機器情報が編集された場合（１０７：Ｙｅｓ）、編集対象が基本情報あるいはパラメータであれば（Ｓ１０８：Ｙｅｓ）、その編集を、フィールド機器２００に反映させる（Ｓ１０９）。
【００４２】
また、編集対象にかかわらず、編集された内容で、機器情報保存部１５０に保存されている機器情報を更新する（Ｓ１１０）。このとき、操作履歴も更新し、操作履歴表示欄５２０にリアルタイムで反映させる。
【００４３】
従来、作業者は様々なフィールド機器２００に対して作業を行なうことから、明示的な動作により作業内容を保存するようにしていたが、本実施形態では、作業内容や機器情報をすべて機器情報保存部１５０に自動で記録するようにしている。これにより、必要な情報の保存のし忘れを防いだり、操作履歴を作業検証等に利用できるようにしている。
【００４４】
機器情報管理部１２０は、以上の機器情報表示画面５００を利用した処理を作業者がフィールド機器保全作業を終了するまで繰り返す（Ｓ１１１）。
【００４５】
次に、機器情報管理部１２０がユーザインタフェース部１３０の保存機器情報用表示設定部１３２を制御して行なう動作について図７のフローチャートを参照して説明する。
【００４６】
まず、機器情報保存部１５０に保存されている機器情報、すなわち、過去に接続を行なったことのあるフィールド機器２００についての機器情報を取得する（Ｓ２０１）。
【００４７】
そして、取得した機器情報についてフィールド機器２００のリストを表示する（Ｓ２０２）。フィールド機器２００のリストは、例えば、図８に示す保存機器情報表示画面６００の機器リスト表示欄６１１に表示する。
【００４８】
機器リスト表示欄６１１で、特定のフィールド機器２００が選択されると（Ｓ２０３：Ｙｅｓ）、機器情報表示欄６１２に選択されたフィールド機器２００の機器情報を表示する（Ｓ２０４）。図８に示した例では、機器情報表示欄６１２に基本情報を表示している。
【００４９】
保存機器情報表示画面６００には、表示項目選択メニュー６１３が備えられており、表示項目選択メニュー６１３を操作することにより、機器情報表示欄６１２にパラメータを表示させたり、添付情報を表示させることができる。これにより、作業者は、接続されていないフィールド機器２００についても、必要な機器情報を参照することができるようになる。
【００５０】
機器情報表示欄６１２で機器情報の編集を受け付けることも可能である。作業者から機器情報の編集を受け付けた場合は（Ｓ２０５：Ｙｅｓ）、編集された内容で、機器情報保存部１５０に保存されている機器情報を更新する（Ｓ２０６）。このとき、操作履歴も更新し、操作履歴表示欄５２０に反映させる。
【００５１】
フィールド機器２００が接続されていない場合、フィールド機器２００の基本情報やパラメータを即座に変更することはできない。このため、変更内容を機器情報保存部１５０に記録しておき、例えば、次回そのフィールド機器２００に接続した場合に変更の可否を作業者に問い合わせ、可であればフィールド機器２００の基本情報やパラメータを変更するようにしてもよい。あるいは、機器情報表示欄６１２では、添付情報の編集のみ行なえるようにして、基本情報やパラメータは閲覧のみで編集はできないようにしてもよい。
【００５２】
機器リスト表示欄６１１で、他のフィールド機器２００が選択されると（Ｓ２０７：Ｙｅｓ）、それに合わせて機器情報表示欄６１２の表示内容も変更する（Ｓ２０４）。
【００５３】
機器情報管理部１２０は、以上の保存機器情報表示画面６００を利用した処理を作業者がフィールド機器保全作業を終了するまで繰り返す（Ｓ２０８）。
【００５４】
次に、作業報告書作成部１４０の動作について説明する。作業報告書作成部１４０は、例えば、図９に示すように全パラメータ表示画面７００が表示されている状態で、作業報告書の作成指示を受け付けると、その時点のパラメータを用いてあらかじめ定められたフォーマットの作業報告書８００を作成する。変更されたパラメータのみを作業報告書８００に記載するようにしてもよい。また、図１０に示すように、表計算用アプリケーションのセルにパラメータやその他の情報を入力することで作業報告書８２０を作成するようにしてもよい。
【００５５】
作業報告書８００は、接続されているフィールド機器２００のみならず、接続されていないフィールド機器２００についても機器情報保存部１５０を参照することで作成することができる。
【００５６】
従来、作業報告書の作成は作業者の手作業に負うところが多かったが、作業報告書作成部１４０を利用することにより、作業報告書を作成する手間が大幅に軽減されることになる。
【符号の説明】
【００５７】
１０…フィールド機器管理装置、１１０…通信部、１２０…機器情報管理部、１３０…ユーザインタフェース部、１３１…接続機器用表示設定部、１３２…保存機器情報用表示設定部、１４０…作業報告書作成部、１５０…機器情報保存部、２００…フィールド機器
【図１】
0005850033.tif 000002
【図２】
0005850033.tif 000003
【図３】
0005850033.tif 000004
【図４】
0005850033.tif 000005
【図５】
0005850033.tif 000006
【図６】
0005850033.tif 000007
【図７】
0005850033.tif 000008
【図８】
0005850033.tif 000009
【図９】
0005850033.tif 000010
【図１０】
0005850033.tif 000011